(57)【要約】【課題】電子機器の突起の揺動操作及び押圧操作を確実に行えるようにする。【解決手段】後壁１４０２の取り付け部９０に突起１２０Ａを操作するための操作部材１４１６が配設されている。操作部材１４１６は、筒状部材９２と、筒状部材９２の内部に配設された軸状部材９４と、筒状部材９２を取り付け部９０内で保持する弾性部材９６とで構成されている。弾性部材９６の押圧壁９６０６Ｂおよび外側膨出部９６１０を介して筒状部材９２を後壁１４０２に沿ってスライドさせると、つば部９２０６が案内面９００６に沿ってスライドされ円滑に動かされる。筒状部材９２のスライドにより筒状壁部９２１０の内側に収容された突起１２０Ａも筒状壁部９２１０とともに動かされるため、突起１２０Ａは確実に揺動操作され、この揺動操作に対応して制御スイッチ１２０が動作する。【選択図】      図１３
2006065122.tif 000002
【特許請求の範囲】
【請求項１】
電子機器の筐体の壁面から突設され揺動操作することで第１の動作が行われ、前記筐体の壁面に向けて押圧操作することで前記第１の動作と異なる第２の動作が行われる突起を有する電子機器が水密に収容される電子機器用防水ケースであって、
前記防水ケースは硬質な材料から形成され前記電子機器が収容されるケース本体を有し、
前記電子機器が収容された状態で前記突起に対応する前記ケース本体の壁部の箇所に取り付け部が形成され、前記取り付け部に前記突起を操作するための操作部材が配設され、
前記取り付け部は、前記壁部の外面に設けられた凹部と、前記凹部の底部に前記突起の先部の輪郭よりも大きい内径で貫通形成された貫通孔と、前記貫通孔の周囲に位置する凹部の底部に設けられた環状の案内面と、前記環状の案内面の半径方向外側に位置する前記凹部内の箇所に設けられた当て付け部とを有し、
前記操作部材は、筒状部材と、前記筒状部材の内部に配設された軸状部材と、前記筒状部材を前記取り付け部内で保持する弾性部材とで構成され、
前記筒状部材は、内部に第１中心孔が延在する筒体と、前記筒体の長手方向の一端に前記案内面の外径よりも小さく前記貫通孔の内径よりも大きな寸法の直径で形成されたつば部と、前記つば部の中心に前記第１中心孔と同軸上に貫通された第２中心孔と、前記筒体が位置する箇所とは反対に位置する前記つば部の面に前記貫通孔の内径よりも小さい外径でかつ前記突起の先部が収容される内径で前記貫通孔と同軸上に突出形成された筒状壁を備え、
前記軸状部材は、前記筒状部材の第１中心孔から第２中心孔にわたって移動可能に挿入され、長手方向の一端が前記筒体の長手方向の他端に臨み、長手方向の他端が前記筒状壁の内側に臨むように形成され、
前記弾性部材は、前記凹部内に挿入され前記当て付け部に取着される外周部と、前記外周部の全周から該外周部の半径方向内側に延在し前記貫通孔の軸方向及びこの軸方向と直交する方向に弾性変形可能で前記外周部の内側を閉塞する環状の弾性部と、前記環状の弾性部の内側を閉塞する内周部とを備え、
前記内周部は前記外周部が前記当て付け部に取着された状態で前記弾性部の内側で前記貫通孔と同軸上に前記筒状部材の筒体を保持する保持壁と、この保持した前記筒状部材の筒体の長手方向の他端に臨み前記筒体方向に弾性変形可能な押圧壁とを有し、
前記筒体の第１中心孔から第２中心孔にわたって前記軸状部材が挿入された前記筒状部材は、前記筒状壁が前記貫通孔内に収容され、前記つば部が前記案内面に載置され、前記軸状部材の長手方向の前記一端が前記押圧壁に臨むように前記筒体が前記保持壁に取着されて配設され、
前記弾性部は、前記突起が筒状壁の内側に収容され前記軸状部材の長手方向の前記他端が前記突起の先部に臨む前記操作部材の中立位置に付勢する弾性を有して形成されている、
ことを特徴とする電子機器用防水ケース。
【請求項２】
前記保持壁は、その内側に前記貫通孔と同軸上で前記貫通孔方向に開放状の孔が形成されるように筒状に形成され、前記貫通孔と反対側に位置する保持壁箇所に前記孔を閉塞するように前記押圧壁が設けられていることを特徴とする請求項１記載の電子機器用防水ケース。
【請求項３】
前記押圧壁が前記孔に臨む内面の中央に前記筒体の長手方向の他端に接触する内側膨出部が設けられ、前記内面と反対に位置する前記押圧壁の外面に前記内側膨出部と同軸上で前記外面の外方に膨出する外側膨出部が設けられていることを特徴とする請求項１記載の電子機器用防水ケース。
【請求項４】
前記弾性部材の外周部は、前記当て付け部に載置された後、その上から前記外周部を前記当て付け部に押圧するように前記凹部に枠状のキャップが取着されることを特徴とする請求項１記載の電子機器用防水ケース。
【請求項５】
前記弾性部材の外周部は、前記当て付け部に載置された後、その上から前記外周部を前記当て付け部に押圧するように前記凹部に枠状のキャップが取着され、前記内周部が凹部の底部に臨む内面とは反対側に位置する前記内周部の外面に前記押圧壁を露出させるように押圧壁の外側に前記弾性部材よりも小さい摩擦係数を有する枠状のプレートが取着され、前記外周部の半径方向内側で前記キャップが前記凹部の底部に臨む面に前記プレートが接触していることを特徴とする請求項１記載の電子機器用防水ケース。
【請求項６】
前記第１中心孔の内径は第２中心孔の内径よりも大きい寸法で形成され、前記軸状部材は、第１中心孔の内径よりも小さく第２中心孔の内径よりも大きい寸法の外径で形成され前記第１中心孔に挿入される大径部と、第２中心孔の内径よりも小さい寸法の外径で形成され前記第２中心孔に挿入される小径部とで構成されていることを特徴とする請求項１記載の電子機器用防水ケース。
【請求項７】
前記筒状部材の筒体の長手方向の他端は開放されていることを特徴とする請求項１記載の電子機器用防水ケース。
【請求項８】
前記筒状部材と軸状部材は共に硬質な合成樹脂で形成され、前記弾性部材は弾性材料で形成されていることを特徴とする請求項１記載の電子機器用防水ケース。
【発明の詳細な説明】
【技術分野】
【０００１】
本発明は電子機器用防水ケースに関し、より詳細には、電子機器の筐体から突設され揺動操作することで第１の動作が行われ、前記筐体に向けて押圧操作することで前記第１の動作と異なる第２の動作が行われる突起を有する電子機器を水密に収容した状態で、その電子機器の突起の揺動操作及び押圧操作を確実に行えるようにした電子機器用防水ケースに関する。
【背景技術】
【０００２】
デジタルカメラやビデオカメラなどのような電子機器の操作部として、単一の突起で異なった各種の動作を行わせるものが提供されている。
例えば、図１４に示すように、デジタルカメラの筐体に、各押圧部を押圧操作することで異なった動作が行われる５つの押圧部２２１〜２２２５を有する揺動式ボタン２３１が設けられている場合、防水ケース側にはその揺動式ボタン２３１を操作するための操作部材２４１が設けられる。
このような防水ケース側の操作部材２４１は、防水ケースの壁部に５つの筒状壁２５１〜２５５を突設し、各筒状壁２５１〜２５５の内部に軸状の部材２６１〜２６５をＯリングなどを介して液密に挿入し、スプリングなどにより軸状の部材２６１〜２６５を筒状壁２５１〜２５５から突出する方向に常時付勢する構成が採用されている（例えば、特許文献１）。
【特許文献１】特開２００２−９０８７０
【発明の開示】
【発明が解決しようとする課題】
【０００３】
しかしながら、電子機器の筐体から突設され揺動操作することで第１の動作が行われ、前記筐体に向けて押圧操作することで前記第１の動作と異なる第２の動作が行われる突起を有する電子機器を防水ケースに水密に収容した場合、上述の従来技術では、電子機器の筐体の突起の押圧操作を行えるものの揺動動作を行うことができない。
本発明は前記事情に鑑み案出されたものであって、本発明の目的は、電子機器の突起の揺動操作及び押圧操作を確実に行えるようにした電子機器用防水ケースを提供することにある。
【課題を解決するための手段】
【０００４】
前記目的を達成するため本発明は、電子機器の筐体の壁面から突設され揺動操作することで第１の動作が行われ、前記筐体の壁面に向けて押圧操作することで前記第１の動作と異なる第２の動作が行われる突起を有する電子機器が水密に収容される電子機器用防水ケースであって、前記防水ケースは硬質な材料から形成され前記電子機器が収容されるケース本体を有し、前記電子機器が収容された状態で前記突起に対応する前記ケース本体の壁部の箇所に取り付け部が形成され、前記取り付け部に前記突起を操作するための操作部材が配設され、前記取り付け部は、前記壁部の外面に設けられた凹部と、前記凹部の底部に前記突起の先部の輪郭よりも大きい内径で貫通形成された貫通孔と、前記貫通孔の周囲に位置する凹部の底部に設けられた環状の案内面と、前記環状の案内面の半径方向外側に位置する前記凹部内の箇所に設けられた当て付け部とを有し、前記操作部材は、筒状部材と、前記筒状部材の内部に配設された軸状部材と、前記筒状部材を前記取り付け部内で保持する弾性部材とで構成され、前記筒状部材は、内部に第１中心孔が延在する筒体と、前記筒体の長手方向の一端に前記案内面の外径よりも小さく前記貫通孔の内径よりも大きな寸法の直径で形成されたつば部と、前記つば部の中心に前記第１中心孔と同軸上に貫通された第２中心孔と、前記筒体が位置する箇所とは反対に位置する前記つば部の面に前記貫通孔の内径よりも小さい外径でかつ前記突起の先部が収容される内径で前記貫通孔と同軸上に突出形成された筒状壁を備え、前記軸状部材は、前記筒状部材の第１中心孔から第２中心孔にわたって移動可能に挿入され、長手方向の一端が前記筒体の長手方向の他端に臨み、長手方向の他端が前記筒状壁の内側に臨むように形成され、前記弾性部材は、前記凹部内に挿入され前記当て付け部に取着される外周部と、前記外周部の全周から該外周部の半径方向内側に延在し前記貫通孔の軸方向及びこの軸方向と直交する方向に弾性変形可能で前記外周部の内側を閉塞する環状の弾性部と、前記環状の弾性部の内側を閉塞する内周部とを備え、前記内周部は前記外周部が前記当て付け部に取着された状態で前記弾性部の内側で前記貫通孔と同軸上に前記筒状部材の筒体を保持する保持壁と、この保持した前記筒状部材の筒体の長手方向の他端に臨み前記筒体方向に弾性変形可能な押圧壁とを有し、前記筒体の第１中心孔から第２中心孔にわたって前記軸状部材が挿入された前記筒状部材は、前記筒状壁が前記貫通孔内に収容され、前記つば部が前記案内面に載置され、前記軸状部材の長手方向の前記一端が前記押圧壁に臨むように前記筒体が前記保持壁に取着されて配設され、前記弾性部は、前記突起が筒状壁の内側に収容され前記軸状部材の長手方向の前記他端が前記突起の先部に臨む前記操作部材の中立位置に付勢する弾性を有して形成されていることを特徴とする。
【発明の効果】
【０００５】
本発明では、弾性部材を介して筒状部材をスライドさせることで突起を確実に揺動操作することができ、また、弾性部材を介して筒状部材を押圧することで突起Ａを確実に押圧操作することができる。
【発明を実施するための最良の形態】
【０００６】
本発明は、上記の目的を防水ケースの壁部箇所に取り付け部を形成し、取り付け部に突起を操作するための操作部材を設けることで達成した。
以下、防水ケースに収容される電子機器がデジタルカメラである実施例について説明する。
【実施例１】
【０００７】
まず、防水ケースに収容すべきカメラ（電子機器）から説明する。
図１２はカメラを前方から見た斜視図、図１３はカメラを後方から見た斜視図を示す。
本実施例では防水ケースに収容すべきカメラ１００はデジタルスチルカメラであり、外装を構成するケース１０２を有している。なお、本明細書において左右は、防水ケースやカメラを前方から見た状態でいうものとし、また、被写体側を前方といい、撮像素子側を後方という。
ケース１０２の前面右側部寄りの箇所には撮影光学系１０４を収容保持する沈胴式の鏡筒１０１が設けられ、ケース１０２の前面上部寄りの箇所には閃光を発光するフラッシュ部１０６などが設けられている。
鏡筒１０１はケース１０２の内部に組み込まれた駆動部によってケース１０２の前面から前方に突出した使用位置（広角状態、望遠状態、および広角乃至望遠の中間状態）とケース１０２の前面に収容された収容位置（沈胴状態）との間を出没するように構成されている。
【０００８】
ケース１０２の上端面には、撮像を行うためのシャッタボタン１０８、撮影光学系１０４のズームを調整するためのズーム操作スイッチ１１０、再生モードの切り換えなどを行なうためのモード切り換えスイッチ１１２、電源のオンオフを行うための電源スイッチ１１４が設けられている。
ケース１０２の後面には、撮像した映像を表示するディスプレイ１１６、撮影、記録、映像表示などの種々の動作にまつわる操作を行うための複数の操作スイッチ１１８、ディスプレイ１１６上に表示されるメニューを選択するなどの操作を行うための制御スイッチ１２０などが設けられている。
本実施例では、モード切り換えスイッチ１１２は、いわゆるスライドスイッチで構成され、ケース１０２の上端面から突出する操作部材１１２Ａを有し、この操作部材１１２Ａを指で左右方向にスライドすることでモードの切り換え動作がなされるように構成されている。
また、制御スイッチ１２０は、ケース１０２の後面から後方に突出する突起（操作部材）１２０Ａを有し、突起１２０Ａはその先端面を指で動かすことにより上下方向および左右方向の４方向に傾動可能に、かつ、その先端面を指でケース１０２の厚さ方向に押圧可能に構成されている。
具体的には、制御スイッチ１２０は、突起１２０Ａを上下方向および左右方向に動かすことで、例えばディスプレイ１１６上に表示されるカーソルの位置を上下左右に動かしたり、ディスプレイ１１６上に表示される数値などを変更（増減）させることができるように構成されている。また、制御スイッチ１２０は、突起１２０Ａを押圧することでディスプレイ１１６上に表示される複数の選択項目（メニュー）の決定や入力欄に表示されている数値の入力を行うことができるように構成されている。
なお、本発明は後述するようにこの突起１２０Ａを操作する操作部材に適用されている。
【０００９】
鏡筒１０１の後部には、撮影光学系１０４によって結像された被写体像を撮像するＣＣＤやＣＭＯＳセンサなどで構成された撮像素子が配設され、カメラ１００は、撮像素子から出力された撮像信号に基づいて画像データを生成し、メモリカードなどの記憶媒体に記録する画像処理部、前記画像データをディスプレイ１１６に表示させる表示処理部、駆動部、制御部などを備えている。制御部は、シャッタボタン１０８、ズーム操作スイッチ１１０、モード切替スイッチ１１２、電源スイッチ１１４、操作スイッチ１１８、制御スイッチ１２０の操作に応じて画像処理部、表示処理部、駆動部を制御するものであり、制御プログラムによって動作を行うＣＰＵを有している。
【００１０】
次に、防水ケースについて説明する。
図１は前方から見た防水ケースの斜視図、図２は後方から見た防水ケースの斜視図、図３は防水ケースを立てた状態で前ケース分割体と後ケース分割体との開いた状態の斜視図、図４は防水ケースを寝かせた状態で前ケース分割体と後ケース分割体との開いた状態の斜視図、図5バックルを収容する凹部の斜視図、図６（Ａ）、（Ｂ）は凹溝、突条、シール部材の説明図、図７はつまみ部分の斜視図、図８はバックルの分解斜視図、図９はバックルを構成するケース本体の斜視図、図１０はバックルを構成するスライド部材の斜視図である。
図１乃至図４に示すように、防水ケース１０は、互いに揺動可能に連結された前ケース分割体１２と後ケース分割体１４との２つの分割体で構成され、後ケース分割体１４には前ケース分割体１２に係脱可能に結合するバックル１６が設けられている。
本実施例では、前ケース分割体１２に、カメラ１００の後面を除いた残りの全ての部分が収容され、後ケース分割体１４を前ケース分割体１２に合わせることでカメラ１００の後面が後ケース分割体１４により覆われ、カメラ１００が防水ケース１０に収容されるように構成されている。
【００１１】
前ケース分割体１２は合成樹脂製で、前ケース分割体１２はカメラ１００のケース１０２の上下端面、左右側面、前面に対応した上壁１２０２、下壁１２０４、左側壁１２０６、右側壁１２０８、前壁１２１０を有し、それらの内側にカメラ１００に対応した断面が矩形の空間が後方に開放状に形成されている。
図１に示すように、前壁１２１０の外面には、鏡筒１０１を収容する筒状の膨出部１２１２が設けられ、膨出部１２１２の前端開口には透明板１２１４が取着されている。
また、フラッシュ部１０６からの閃光が前方に照射されるように、フラッシュ部１０６の前方に位置する前壁１２１０部分に透明板１２１６が設けられている。
上壁１２０２の上面には、シャッタボタン１０８操作用の操作部材１２１８、ズーム操作スイッチ１１０操作用の操作部材１２２０、モード切り換えスイッチ１１２操作用の操作部材１２２２、電源スイッチ１１４操作用の操作部材１２２４が化粧板１２２６を介して設けられている。
図３に示すように、膨出部１２１２の基部をなす前壁１２１０の内面部分に、収容されたカメラ１００の前面に弾接してカメラ１００の前後移動を規制するゴムなどからなるクッション材１２２８が貼り付けられ、また、このクッション材１２２８は不図示ではあるが前壁１２１０の内面の左端箇所にも貼り付けられている。
【００１２】
前ケース分割体１２の後端は、上壁１２０２、下壁１２０４、左側壁１２０６、右側壁１２０８により矩形枠状を呈し、この矩形枠状の部分が後ケース分割対１４に合わされる合わせ部２０となっており、合わせ部２０の内側は、前ケース分割体１２の内部に形成される断面が矩形の空間の開口となっている。
合わせ部２０はその断面が、図３、図６（Ａ）に示すように、鉛直方向に延在する平坦面２２と、平坦面２２の内側から後方に突設された突条２４とからなり、これら平坦面２２と突条２４は合わせ部２０の全周にわたり連続して延在形成されている。
右側壁１２０８の後端には、合わせ部２０の外側に位置するように筒状の軸受部２６が上下に延在形成されている。
図５に示すように、左側壁１２０６には、バックル１６を収容する凹部３０が設けられている。
凹部３０は平坦な底面３００２を有し、底面３００２の合わせ部２０寄りの箇所に、上下に間隔をおいて２つの係止壁３２が突出形成され、２つの係止壁３２の上端の前面には傾斜面３２０２が形成されている。
また、凹部３０の底面３００２の上下方向の中央部で前壁１２１０寄りの箇所に、上下に間隔をおいて２つの壁部３４が突出され、２つの壁部３４の上部で互いに向かい合う部分に凹部３０の底面３００２に平行しつつ臨む係止面３４０２がそれぞれ形成され、２つの壁部３４の上端前面には傾斜面３４０４が形成されている。なお、本実施例では、２つの壁部３４と係止面３４０２により特許請求の範囲の第２係脱部が構成されている。
また、凹部３０の底面３００２の複数個所にはバックル１６に当接する当接壁３００４が設けられている。
【００１３】
後ケース分割体１４は、図２乃至図４に示すように、前ケース分割体１２に収容されたカメラ１００の後面を覆う矩形で平坦な後壁１４０２を有し、後壁１４０２の内面１４０２Ａがカメラ１００の後面に臨み、この内面１４０２Ａの四隅に、収容されたカメラ１００の後面に弾接してカメラ１００の前後移動を規制するゴムなどからなるクッション材１４０４が突設されている。
後壁１４０２の内面１４０２Ａの外周部には、前ケース分割体１２の合わせ部２０に合わされる矩形枠状の合わせ部４０が膨出形成されている。
後壁１４０２の外面には、図２に示すように、操作スイッチ１１８操作用の操作部材１４１４、突起１２０Ａ操作用の操作部材１４１６が化粧板１４１８を介して設けられ、カメラ１００を収容した状態でディスプレイ１１６が見られるように後ケース分割体１４は透明な合成樹脂により形成されている。
なお、操作部材１４１６に本発明が適用されており、操作部材１４１６については後述する。
後ケース分割体１４の右側部の上下には筒状の軸受部１４２０が設けられ、後ケース分割体１４の左側部にはバックル１６が設けられている。
上下の軸受部１４２０の間に前ケース分割体１２の軸受部２６が挿入され、それら軸受部１４２０、２６に支軸１４２２が挿通されることで前ケース分割体１２と後ケース分割体１４が揺動可能に連結されている。
【００１４】
合わせ部４０の端面の全周には、突条２４が挿入される凹溝４２が前方に開放状に連続して延在形成されている。
凹溝４２は、図６、図７に示すように、後ケース分割体１４の外方に位置する外壁４２０２と、後ケース分割体１４の内方に位置する内壁４２０４とで構成されている。
外壁４２０２の先端は、前ケース分割体１２の合わせ部２０と後ケース分割体１４の合わせ部４０が合わさった状態で、平坦面２２に近接する平坦面として形成されている。
図７に示すように、後ケース分割体１４の右側部で上下に延在する内壁４２０４の上下方向の中央部には、上下に間隔をおいて２つの切り欠き４４が形成されている。
２つの切り欠き４４が形成されることで、２つの切り欠き４４部分において凹溝４２は後ケース分割体１４の内側に開放され、すなわち、後壁１４０２の内面１４０２Ａに開放され、また、２つの切り欠き４４の間に内壁部分４２０４Ａが残存する。
後壁１４０２の内面１４０２Ａには、２つの切り欠き４４と内壁部分４２０４Ａに臨むように凹部４６が形成され、凹部４６の底面４６０２は内面１４０２Ａよりも窪んだ平坦面として形成されている。
【００１５】
凹溝４２にシール部材５０が挿入されている。
シール部材５０は、凹溝４２の全長にわたり挿入される矩形枠状の本体部５００２と、本体部５００２から本体部５００２の内側に向けて突設されたつまみ部５００４とで構成されている。
シール部材５０は、例えば、ゴムなどのような弾性を有する材料から形成され、シール部材５０（本体部５００２）の断面形状は、本体部５００２が凹溝４２に挿入されるように凹溝４２の幅よりも小さい寸法の幅と、凹溝４２の深さよりも小さい寸法の高さとを有し、図６（Ａ）、（Ｂ）に示すように、前ケース分割体１２の合わせ部２０と後ケース分割体１４の合わせ部４０を合わせた際に、凹溝４２内で突条２４により圧縮され、双方の合わせ部２０，４０を水密に結合するように（本実施例では２〜３mの水圧に耐えられるように）構成されている。
【００１６】
つまみ部５００４は、指先（あるいは爪）を掛けることで凹溝４２からのシール部材５０の取り外しを行い易くするためのものである。
つまみ部５００４は、本体部５００２の延在方向に間隔をおいた２箇所から突設されそれぞれ切り欠き４４を通って後ケース分割体１４の内側に突出された突出片５００４Ａと、２つの切り欠き４４の間の内壁部分４２０４Ａの内側に臨んだ箇所で内壁部分４２０４Ａと平行に延在しそれら突出片５００４Ａの先端を接続する接続片５００４Ｂとで構成されている。したがって、本体部５００２と２つの突出片５００４Ａと接続片５００４Ｂとにより矩形の開口５００６が形成されることになり、この開口５００６に内壁部分４２０４Ａが挿入されることになる。このように構成することで、防水性を確保しつつつまみ部５００４（接続片５００４Ｂ）の寸法を大きく確保している。
本実施例では、つまみ部５００４に指先（あるいは爪）をより掛けやすいように、後ケース分割体１４の後壁１４０２の凹部４６は、図６に示すように、その内側につまみ部５００４が収容される大きさで形成され、特に、凹部４６の底面４６０２は接続片５００４Ｂが位置する箇所よりも更に内壁部分４２０４Ａから離れる方向に延在し接続片５００４Ｂの外側に底面４６０２が露出するように形成されている。
そして、図６（Ａ）に示すように、つまみ部５００４は、本体部５００２の高さ方向の中間部から突設され、前ケース分割体１２の合わせ部２０と後ケース分割体１４の合わせ部４０とが開放された状態で、つまみ部５００４は凹部４６の底面４６０２と隙間をあけた底面４６０２の上方箇所に位置するように設けられている。
【００１７】
次に、バックル１６について説明する。なお、バックル１６の説明及びバックル１６を構成する部品の説明においては、バックル１６が後ケース分割体１４に組み込まれ、バックル１６が凹部３０に収容され、バックル１６がカメラ１００の前後方向に延在している状態を基準として上下、前後、左右をいうものとする。
バックル１６は、図３、図８に示すように、上下両端が後ケース分割体１４の左側部に取着された支軸５８により後ケース分割体１４の左側部に揺動可能に連結されている。すなわち、バックル１６は、支軸５８により後ケース分割体１４の自由端である左側部に取着され、支軸５８部分がバックル１６の取着箇所に相当し、支軸５８部分がバックル１６の一端でありまた後部であり、支軸５８と反対側に位置する部分がバックル１６の自由端であり前部である。
バックル１６は、図１、図２、図８に示すように、ケース本体６０、スライド部材６２、係止片６４、コイルスプリング６６、固定つまみ７０、可動つまみ７２、プレート８０などで構成されている。
【００１８】
ケース本体６０は、図１、図２、図８、図９に示すように、前ケース分割体１２の凹部３０に挿入される大きさで形成されており、ケース本体６０は凹部３０の輪郭に合致した形状のほぼ矩形の本体壁６００２と、本体壁６００２の４辺から屈曲された側壁６００４とを有している。より詳細には、本体壁６００２の前部は凹部３０の前縁に合致した湾曲状に形成され、図９に示すように、ケース本体６０の後端に位置する側壁６００４箇所に支軸５８が挿通される孔６００６が形成されている。そして、凹部３０にバックル１６が収容された状態でバックル１６の外面と前ケース分割体１２の左側壁１２０６の外面とが同一面上に位置するように形成されている。
図８に示すように、側壁６００４で囲まれた本体壁６００２の内面には、スライド部材６２を支軸５８に対して離間接近する方向（前後方向）に対して移動可能に支持する互いに対向する一対のガイド壁６００６、６００８が支軸５８に対して離間接近する方向（前後方向）に間隔をおいて設けられている。
また、一方の一対のガイド壁６００６の間にコイルスプリング６６の端部が係止される係止壁６０１０が突出形成されている。
また、本体壁６００２の内面には、凹部３０の２つの係止壁３２に対応した係止壁６０１２が２つ設けられ、係止壁６０１２の上端の後面には傾斜面６０１４が形成されている。
これらの係止壁３２、６０１２は、前ケース分割体１２の合わせ部２０と後ケース分割体１４の合わせ部４０を合わせ、バックル１６を凹部１６内に揺動させると（倒し込むと）、係止壁３２の前面と係止壁６０１２の後面が接触し、凹部１６内でバックル１６の支軸５８方向の移動を阻止するものであり、傾斜面３２０２、６０１４はそれら係止壁３２、６０１２の壁面どうしの接触を円滑に行わせるためのものである。
【００１９】
固定つまみ７０は、図９に示すように、本体壁６００２の外面で支軸５８から離れた本体壁６００２の端部寄り箇所（前端寄り箇所）に設けられている。
固定つまみ７０は、指で摘み易い大きさで円弧状に膨出形成され上下に延在している。
固定つまみ７０が支軸５８方向に臨む後面７０Ａには、支軸５８方向に開放された可動つまみ７２用の収容凹部７００２が設けられ、この収容凹部７００２から、固定つまみ７０が支軸５８（後端）方向に臨む本体壁６００２部分にわたり、切り欠き６０２０が本体壁６００２を貫通して設けられ、この切り欠き６０２０の支軸５８寄りの部分は円弧状に形成されている。
固定つまみ７０が支軸５８と反対側に臨む前面７０Ｂには、図１に示すように、指で掴み易いように複数の突起７０１０が形成されている。
【００２０】
スライド部材６２は、図８、図１０に示すように、本体板部６２０２を有し、この本体板部６２０２の外面が本体壁６００２の内面に載置される。
本体板部６２０２の内面には補強リブ６００３が突設され、補強リブ６００３から本体板部６２０２の後方に突出するように一対のガイド壁６００４が形成され、一対のガイド壁６００４は、ケース本体６０の一方のガイド壁６００６に摺動可能に形成されている。
一対のガイド壁６００４の後端は、コイルスプリング６６の後端が係止される接続壁６００６で接続され、接続壁６００６にはコイルスプリング６６の後部が挿入される半円弧状の壁部６００８が形成されている。
係止片６４は、本体板部６２０２の内面の前端に設けられている。
係止片６４は、図８に示すように、本体板部６２０２の内面から突出形成された脚部６２１２および補強リブ６２１４の先端に設けられ、本体板部６２０２の内面に対して間隔をおいて平行に延在し、係止片６４の両端は、凹部３０の２つの壁部３４の係止面３４０２に対して係脱可能に係止するように構成され、係止片６４の後端面には、凹部３０の壁部３４の傾斜面３４０４に係合可能な傾斜面６４０４が形成されている。この係止片６４は特許請求の範囲の第１係脱部を構成している。
可動つまみ７２は、図１０に示すように、本体板部６２０２の外面の前部寄りの箇所（係止片６４が設けられた側）に膨出形成されている。
より詳細に説明すると、本体板部６２０２の外面の中央に、本体壁６００２の切り欠き６０２０に収容される底板部７２０２が膨出形成され、可動つまみ７２はこの底板部７２０２の前端から円弧状に膨出形成されている。
底板部７２０２は切り欠き６０２０に収容され支軸５８から離間接近する方向（前後方向）に切り欠き６０２０内で移動できる寸法で形成され、底板部７２０２の後部は、切り欠き６０２０に対応した円弧状に形成されている。
【００２１】
可動つまみ７２（可動つまみ７２および収容凹部７００２）は、底板部７２０２が切り欠き６０２０に収容され底板部７２０２の後端が切り欠き６０２０の円弧状の後端に係止した状態で、すなわち、支軸５８に最も近接した状態（最も後方に後退した状態）で、可動つまみ７２の前端が収容凹部７００２に収容されるとともに、可動つまみ７２の前端を除く大半の部分が固定つまみ７０から露出するように構成されている。
また、可動つまみ７２（可動つまみ７２および収容凹部７００２）は、板部７２０２が切り欠き６０２０に収容され底板部７２０２の前端が切り欠き６０２０の前端に係止した状態で、すなわち、支軸５８から最も離れた状態（最も前方に前進した状態）で、可動つまみ７２の全体が収容凹部７００２に収容され、かつ、可動つまみ７２の後面７２Ａが固定つまみ７０の後面７０Ａよりも前方に位置するように構成されている。これは、後述するように、右手の人差し指を固定つまみ７０の前面７０Ｂに当て付け、右手の親指を可動つまみ７２の後面７２Ａに当て付け、親指により可動つまみ７２を支軸５８から離れる方向（前方）にスライド操作した際に親指の腹を収容凹部７００２を形成する内壁に係止でき、したがって、固定つまみ７０および可動つまみ７２の双方を同時に摘み易くバックル１６を開く揺動動作を行い易くするためである。
可動つまみ７２は、操作すべき箇所であることが簡単に分かるように、固定つまみ７０とは異なった色で形成されている。本実施例では、固定つまみ７０を含むケース本体６０が白色の合成樹脂で形成され、可動つまみ７２を含むスライド部材６２は灰色の合成樹脂で形成され、したがって、固定つまみ７０部分に色の異なった可動つまみ７２および底板部７２０２が位置することになり、バックル１６のどこを操作するとバックル１６が凹部３０から外れるかが瞬時に分かるようにしてある。
【００２２】
スライド部材６２は、図８に示すプレート８０を介してケース本体６０に組み込まれている。
プレート８０は金属製で、前部に位置する幅広部８００２と、後部に位置する幅狭部８００４を有し、幅広部８００２に前方に開放状の切り欠き８００６が形成されている。切り欠き８００６は、凹部３０の底面３００２から突出する２つの壁部３４が収容される大きさで形成されている。
スライド部材６２のケース本体６０への組み込みは、一対のガイド壁６００４を本体板部６２０２の一対のガイド壁６００６の間に位置させ、また、本体壁６００２を一対のガイド壁６００８の間に位置させて本体壁６００２の内面に本体壁６００２の外面を載置し、底板部７２０２を切り欠き６０２０に収容するとともに可動つまみ７２を収容凹部７００２に収容する。これにより、スライド部材６２は、一対のガイド壁６００４が本体板部６２０２の一対のガイド壁６００６により前後移動可能に支持され、本体壁６００２が一対のガイド壁６００８により前後移動可能に支持されることになる。
次に、コイルスプリング６６の後部を半円弧状の壁部６００８に挿入し、コイルスプリング６６の前後両端を係止壁６０１０と接続壁６００６に係止させる。これにより、可動つまみ７２（スライド部材６２）は支軸５８方向（後方）に常時付勢されることになる。すなわち、底板部７２０２の後端が切り欠き６０２０の円弧状の後端に係止し、可動つまみ７２の前端を除く大半の部分が固定つまみ７０から支軸５８側（後方）に露出した状態が保持されるように付勢されている。
この状態でスライド部材６２の上からにケース本体６０の本体壁６００２の内面にプレート８０を被せ、ねじ８０１０により本体壁６００２に固定する。本実施例では、ねじ８０１０は、一対のガイド壁６００６、６００８の外側のボス部８０１２にそれぞれ取着される。
図３に示すように、プレート８０がケース本体６０に取着された状態で、切り欠き８００６内に係止片６４が位置し、また、幅狭部８００２の両側にそれぞれ位置決め用壁部６０１２が露出する。
【００２３】
次に、防水ケース１０の使用方法について説明する。
まず、カメラ１００を防水ケース１０に収容する場合について説明する。
カメラ１００の前面を前ケース分割体１２の前壁１２１０に向けて前ケース分割体１２の合わせ部２０から挿入する。
次に、後ケース分割体１４を揺動させ、前ケース分割体１２の合わせ部２０に後ケース分割体１４の合わせ部４０を合わせる。これにより、シール部材５０が凹溝４２内で突条２４により圧縮され、双方の合わせ部２０，４０が水密に結合される。
次に、バックル１６を揺動させ、凹部３０内に倒し込む。
このバックル１６の倒し込みにより、係止壁３２、６０１２の壁面どうしが接触し、凹部１６内でバックル１６の支軸５８方向（後方）への移動が阻止される。
また、バックル１６の倒し込みに伴って、傾斜面３４０４、６４０４を介して２つの壁部３４の上端前面と係止片６４の後端面とが係合し、スライド部材６２がコイルスプリング６６の弾性力に抗して支軸５８から離れる方向（前方）に一旦移動し、可動つまみ７２の大半が収容部７００２に収容される。
そして、バックル１６の更なる倒し込みにより係止片６４の両端が２つの壁部３４の係止面３４０２の下方に位置すると、スライド部材６２はコイルスプリング６６の弾性力により支軸５８方向（後方）に移動され、係止片６４の両端が２つの壁部３４の係止面３４０２に係止し、バックル１６が凹部３０に収容された状態が保持される。
スライド部材６２は、底板部７２０２の後端が切り欠き６０２０の円弧状の後端に係止し、可動つまみ７２の前端が収容凹部７００２に収容されるとともに、可動つまみ７２の前端を除く大半の部分が固定つまみ７０から露出する状態が保持される。なお、この状態で、当接壁３００４にプレート８０あるいは側壁６００４の先端が当接することで凹部３０の底面３００２方向へのバックル１６の揺動が阻止されている。
すなわち、前ケース分割体１２にカメラ１００を挿入した後、前ケース分割体１２の合わせ部２０に後ケース分割体１４の合わせ部４０を合わせ、バックル１６の自由端を前方に揺動させて凹部３０内に倒し込む操作より、前ケース分割体１２の合わせ部２０と後ケース分割体１４の合わせ部４０とが合わされた状態が保持され、カメラ１００が防水ケース１０に収容される。
【００２４】
次に、カメラ１００を防水ケース１０から取り出す場合について説明する。
例えば、ユーザが防水ケース１０を前方に向けた状態で左手で防水ケース１０の右側部をつかみ、右手の人差し指を固定つまみ７０の前面７０Ｂに当て付け、右手の親指を可動つまみ７２の後面７２Ａに当て付け、右手の人差し指と親指で固定つまみ７０および可動つまみ７２を摘む。
そして、親指により可動つまみ７２を、コイルスプリング６６の弾性力に抗して固定つまみ７０方向（前方）にスライドさせる。
可動つまみ７２を固定つまみ７０方向（前方）にスライドさせると、可動つまみ７２と一体に係止片６４が前方に移動し、係止片６４が壁部３４の係止面３４０２の前方に離れ、係止片６４の両端と２つの壁部３４の係止面３４０２との係止が解除され、バックル１６は支軸５８を支点として凹部３０から起立する方向に揺動可能な状態となる。しかしながら、この状態でバックル１６の支軸５８方向の移動は阻止され、前ケース分割体１２と後ケース分割体１４との開く方向の揺動は阻止されている。すなわち、バックル１６を支軸５８方向へ移動しようとしても、係止片６４が壁部３４に当接し、また、係止壁３２、６０１２どうしが係止しているためである。
なお、係止片６４の両端と２つの壁部３４の係止面３４０２との係止が解除され、バックル１６は支軸５８を支点として凹部３０から起立する方向に揺動可能な状態となるが、この状態で右手の親指により可動つまみ７２が前方に押し付けられており、右手の親指により、後ケース分割体１４には前ケース分割体１２に合わさる方向の力が作用している。したがって、バックル１６と凹部３０側との結合を解除しても、結合の解除時に前ケース分割体１２と後ケース分割体１４とを合わせる方向の力が作用しているので、前ケース分割体１２と後ケース分割体１４とが不用意に開き、カメラ１００が落下することが防止され、特に、電子機器がカメラ１００のように小型である場合には、歩行しながらカメラ１００の防水ケース１０への出し入れを行うので、カメラ１００の落下を防止する上でより有利となっている。
【００２５】
ここでユーザは、固定つまみ７０および可動つまみ７２を摘んだ状態でバックル１６の自由端を持ち上げ、バックル１６を起立させる。
このバックル１６を揺動させる操作によりバックル１６が開く方向に所定の開度揺動されると、係止片６４の先端と壁部３４の先端が離れ（係止片６４の先端と壁部３４の先端が凹部３０の底面３００２から離れる方向において離れ）、また、係止壁３２の先端と係止壁６０１２の先端が離れ（係止壁３２の先端と係止壁６０１２の先端が凹部３０の底面３００２から離れる方向において離れ）、バックル１６の支軸５８方向への移動が可能となり、前ケース分割体１２と後ケース分割体１４とを開く方向の揺動が可能となる。
ここでユーザは、前ケース分割体１２に対して後ケース分割体１４を開き、前ケース分割体１２からカメラ１００を取り出す。
したがって、可動つまみ７２を固定つまみ７０方向（前方）にスライドさせ、次にこの状態でバックル１６を所定の開度揺動させることで、初めてバックル１６の支軸５８方向（合わせ部４０方向）への移動が可能となり、前ケース分割体１２と後ケース分割体１４とが開く方向に揺動できる。すなわち、可動つまみ７２をスライドさせる操作と、バックル１６を開く操作との２つの操作により、初めて前ケース分割体１２と後ケース分割体１４とを開くことができるので、後ケース分割体１４と前ケース分割体１２が不用意に開き、カメラ１００が落下することを防止する上でより有利となっている。特に、水中での使用時に、可動つまみに何かが当たったとしても、後ケース分割体１４と前ケース分割体１２が不用意に開くことが防止され、カメラ１００の水没を防止する上で有利となっている。
【００２６】
次に、後ケース分割体１４の後壁１４０２に設けられ、カメラ１００の突起１２０Ａを揺動操作しまた押圧操作するための操作部材１４１６について詳細に説明する。
図１１は操作部材１４１６部分の断面図を示す。
図１１に示すように、カメラ１００が収容された状態で突起１２０Ａに対応する後ケース分割体１４の後壁１４０２（特許請求の範囲のケース本体の壁部に相当）の箇所に取り付け部９０が形成され、取り付け部９０に突起１２０Ａを操作するための操作部材１４１６が配設されている。
【００２７】
取り付け部９０は、後壁１４０２の外面に設けられた凹部９００２を有し、凹部９００２の底部には、突起１２０Ａの先部の輪郭よりも大きい内径で貫通形成された貫通孔９００４が形成されている。
貫通孔９００４の周囲に位置する凹部９００２の底部には、環状の案内面９００６と、環状の案内面９００６の半径方向外側に位置する凹部９００２内の箇所に設けられた当て付け部９００８とが形成されている。
【００２８】
操作部材１４１６は、筒状部材９２と、筒状部材９２の内部に配設された軸状部材９４と、筒状部材９２を取り付け部９０内で保持する弾性部材９６とで構成され、本実施例では、筒状部材９２と軸状部材９４は共に硬質な合成樹脂で形成されている。
筒状部材９２は、内部に第１中心孔９２０２が延在する筒体９２０４を有している。
筒体９２０４の長手方向の一端には、案内面９００６の外径よりも小さく貫通孔９００４の内径よりも大きな寸法の直径で形成されたつば部９２０６が形成され、筒体９２０４の長手方向の他端は開放されている。
つば部９２０６の中心には、第１中心孔９２０２と同軸上に貫通された第２中心孔９２０８が形成されている。
筒体９２０４が位置する箇所とは反対に位置するつば部９２０６の面には、貫通孔９００４の内径よりも小さい外径でかつ突起１２０Ａの先部が収容される内径で貫通孔９００４と同軸上に突出形成された筒状壁９２１０が形成されている。
【００２９】
軸状部材９４は、筒状部材９２の第１中心孔９２０２から第２中心孔９２０８にわたって移動可能に挿入され、長手方向の一端が筒体９２０４の長手方向の他端に臨み、長手方向の他端が筒状壁９２１０の内側に臨むように形成されている。
軸状部材９４は、筒状部材９２の第１中心孔９２０２の内径よりも小さく第２中心孔９２０８の内径よりも大きい寸法の外径で形成され第１中心孔に挿入される大径部９４０２と、第２中心孔９２０８の内径よりも小さい寸法の外径で形成され第２中心孔９２０８に挿入される小径部９４０４とで構成されている。したがって、防水ケース１０にカメラ１００が収容されていない状態で、軸状部材９４の大径部９４０２が筒状部材９２の第２中心孔９２０８の縁部に係止され、軸状部材９４が筒状部材９２から抜落することが防止されている。
【００３０】
弾性部材９６は、凹部９００２内に挿入され当て付け部９００８に取着される外周部９６０２と、外周部９６０２の全周から該外周部９６０２の半径方向内側に延在し貫通孔９００４の軸方向及びこの軸方向と直交する方向に弾性変形可能で外周部９６０２の内側を閉塞する環状の弾性部９６０４と、環状の弾性部９６０４の内側を閉塞する内周部９６０６とを備えている。
弾性部材９６の内周部９６０６は、外周部９６０２が当て付け部９００８に取着された状態で弾性部９６０４の内側で貫通孔９００４と同軸上に筒状部材９２の筒体９２０４を保持する保持壁９６０６Ａと、この保持した筒状部材９２の筒体９２０４の長手方向の他端に臨み筒体９２０４方向に弾性変形可能な押圧壁９６０６Ｂとを有している。
本実施例では、保持壁９６０６Ａは、その内側に貫通孔９００４と同軸上で貫通孔９００４方向に開放状の孔が形成されるように筒状に形成され、貫通孔９００４と反対側に位置する保持壁９６０６Ａ箇所に前記孔を閉塞するように押圧壁９６０６Ｂが設けられている。
また、本実施例では、押圧壁９６０６Ｂが前記孔に臨む内面の中央に突起１２０Ａの先部に接触する内側膨出部９６０８が設けられ、前記内面と反対に位置する押圧壁９６０６Ｂの外面に内側膨出部９６０８と同軸上で前記外面の外方に膨出する外側膨出部９６１０が設けられている。
このように押圧壁９６０６Ｂに内側膨出部９６０８と外側膨出部９６１０が設けられている場合には、押圧壁９６０６Ｂを押圧した際に、軸状部材９４の一端をより確実に押圧することができ、突起１２０Ａの押圧操作をより確実に行う上で有利である。
また、弾性部材９６の外周部９６０２は、当て付け部９００８に載置された後、その上から外周部９６０２を当て付け部９００８に押圧し凹部９００２を水密に閉塞するように凹部９００２に枠状のキャップ９８が取着されている。本実施例ではキャップ９８は前記化粧板１４１８の部分で構成されている。
弾性部材９６の内周部９６０６が凹部９００２の底部に臨む内面とは反対側に位置する内周部９６０６の外面には、押圧壁９６０６Ｂを露出させるように押圧壁９６０６Ｂの外側に弾性部材９６よりも小さい摩擦係数を有する枠状のプレート９９が取着されている。
このプレート９９は、外周部９６０２の半径方向内側でキャップ９８が凹部９００２の底部に臨む面に接触している。
【００３１】
軸状部材９４は、筒状部材９２の筒体９２０４の第１中心孔９２０２から第２中心孔９２０８にわたって挿入されている。
筒状部材９２の筒状壁９２１０は、貫通孔９００４内に収容され、つば部９２０６が案内面９００６に載置され、軸状部材９４の長手方向の一端が押圧壁９６０６Ｂに臨むように（本実施例では接触するように）筒体９２０４が保持壁９６０６Ａに取着されて配設されている。
弾性部材９６の弾性部９６０４は、突起１２０Ａが筒状壁９２１０の内側に収容され軸状部材９４の長手方向の他端が突起１２０Ａの先部に臨む（本実施例では接触する）操作部材１４１６の中立位置に付勢する弾性を有して形成されている。
【００３２】
次に操作部材１４１６の操作について説明する。
カメラ１００が防水ケース１０に収容された状態で、突起１２０Ａは筒状壁部９２１０の内側に収容されており、操作部材１４１６は前記中立位置に付勢されている。
ユーザが指先によって弾性部材９６の押圧壁９６０６Ｂおよび外側膨出部９６１０を介して筒状部材９２を後壁１４０２に沿ってスライドさせると（突起１２０Ａの操作方向である上下方向および左右方向に動かすと）、つば部９２０６が案内面９００６に案内され案内面９００６に沿ってスライドされ円滑に動かされる。
本実施例では、弾性部材９６の内周部９６０６の外面に取着されたプレート９９が内周部９６０６と一体的に動きプレート９９がキャップ９８に接触して滑動するため、上記のスライド動作がより円滑になされる。
筒状部材９２のスライドにより筒状壁部９２１０の内側に収容された突起１２０Ａも筒状壁部９２１０とともに動かされるため、突起１２０Ａは確実に揺動操作され、この揺動操作に対応して制御スイッチ１２０が動作する。
また、ユーザが弾性部材９６の押圧壁９６０６Ｂおよび外側膨出部９６１０を指先で防水ケース１０の厚さ方向に押圧すると、内側膨出部９６０８を介して軸状部材９４の長手方向の一端が突起１２０Ａ方向に動かされ、これにより軸状部材９４の長さ方向の他端が突起１２０Ａを押圧し突起１２０Ａがカメラ１００のケース１０２の厚さ方向に動かされ、これにより突起１２０Ａは確実に押圧操作され、この押圧操作に対応して制御スイッチ１２０が動作する。
以上説明したように、本実施例によれば、弾性部材９６を介して筒状部材９２をスライドさせることで突起１２０Ａを確実に揺動操作することができ、また、弾性部材９６を介して筒状部材９４を押圧することで突起１２０Ａを確実に押圧操作することができる。
【００３３】
なお、本実施例では、収容される電子機器がデジタルカメラである場合について説明したが、電子機器はデジタルカメラに限定されずモニタ付のコンピュータや携帯型ゲーム機器などその他の電子機器であってもよい。
【図面の簡単な説明】
【００３４】
【図１】前方から見た防水ケースの斜視図である。
【図２】後方から見た防水ケースの斜視図である。
【図３】防水ケースを立てた状態で前ケース分割体と後ケース分割体との開いた状態の斜視図である。
【図４】防水ケースを寝かせた状態で前ケース分割体と後ケース分割体との開いた状態の斜視図である。
【図５】バックルを収容する凹部の斜視図である。
【図６】（Ａ）、（Ｂ）は凹溝、突条、シール部材の説明図である。
【図７】つまみ部分の斜視図である。
【図８】バックルの分解斜視図である。
【図９】バックルを構成するケース本体の斜視図である。
【図１０】バックルを構成するスライド部材の斜視図である。
【図１１】操作部材１４１６部分の断面図を示す。
【図１２】カメラを前方から見た斜視図である。
【図１３】カメラを後方から見た斜視図を示す。
【符号の説明】
【００３５】
１０……防水ケース、９０……取り付け部、９２……筒状部材、９４……軸状部材、９６……弾性部材、１４０Ａ……突起。
【図１】
2006065122.tif 000003
【図２】
2006065122.tif 000004
【図３】
2006065122.tif 000005
【図４】
2006065122.tif 000006
【図５】
2006065122.tif 000007
【図６】
2006065122.tif 000008
【図７】
2006065122.tif 000009
【図８】
2006065122.tif 000010
【図９】
2006065122.tif 000011
【図１０】
2006065122.tif 000012
【図１１】
2006065122.tif 000013
【図１２】
2006065122.tif 000014
【図１３】
2006065122.tif 000015